(57)【特許請求の範囲】
【請求項１】
巾木の出隅コーナー部に取付けるコーナー部材において、該コーナー部材は互いに垂直に交わる両表面板と該表面板の上端には上面板を垂直を成して背面側へ延ばし、一方の表面板の裏面には当り板を垂直を成して延ばし、そして当り板の基部にはスリット溝を形成したことを特徴とする巾木のコーナー部材。
【請求項２】
巾木の入隅コーナー部に取付けるコーナー部材において、該コーナー部材は互いに垂直に交わる両表面板と該表面板の上端には上面板を垂直を成して背面側へ延ばし、一方の表面板の裏面には第１当り板を垂直を成して延ばし、そして第１当り板の先端には第２当り板を垂直に屈曲して延ばし、第１当り板の基部にはスリット溝を形成したことを特徴とする巾木のコーナー部材。
【発明の詳細な説明】
【技術分野】
【０００１】
本発明は、部屋の床面に沿って取付けられる巾木のコーナー部材に関するものである。
【背景技術】
【０００２】
部屋の壁面と床面との境界域を化粧し、また保護する為に巾木が取付けられている。巾木は一定の断面をした長尺材であり、背面を壁面に当接すると共に底面は床に当接して固定される。したがって、該巾木によって床面と壁面との間に生じる隙間をカバーすることが出来る。
ところで、巾木を取付けた場合には隣り合って突き合わされる巾木間に隙間が生じ、この隙間を被覆す為に巾木のコーナー部にはコーナー部材が取付けられる。
【０００３】
図７は壁面と床面のコーナーに巾木（イ）、（イ）を取付けた場合であり、（ａ）では巾木（イ）、（イ）の先端切口を４５°に切断して突き合わされている。４５°に傾斜した切口はその切断面に誤差が生じやすくて、突合せ面には多少の隙間（ロ）が生じる。そして、（ｂ）では切口を９０°として切断されており、その為に互いに突き合わされる巾木（イ）、（イ）の先端間には大きな開口（ハ）を有している。
【０００４】
ところで、上記のように巾木（イ）、（イ）を取付けたコーナー部にはコーナー部材が取付けられて、突き合わされる巾木（イ）、（イ）の先端間に生じる隙間（ロ）や開口（ハ）をカバーしている。その為に、従来ではコーナー部材を使用して巾木（イ）、（イ）のコーナー部に接着剤又は両面テープを介して固定している。
【０００５】
図８は従来の一般的なコーナー部材を示す具体例であり、垂直に屈曲している表面板（ニ）、（ニ）と該表面板（ニ）、（ニ）の上端には上面板（ホ）、（ホ）を垂直を成して形成している。そこで、表面板（ニ）、（ニ）は巾木（イ）、（イ）の表面（ヘ）、（ヘ）に当接して接着され、上面板（ホ）、（ホ）は巾木（イ）、（イ）の上面（ト）、（ト）に接して接着される。
前記図７（ａ）に示す巾木（イ）、（イ）のコーナー部であれば、前記図８に示すコーナー部材を取付けることは出来るが、（ｂ）に示すように巾木（イ）、（イ）の先端間に大きな開口（ハ）を有している場合には、接着される領域を確保する為に、表面板（ニ）、（ニ）、及び上面板（ホ）、（ホ）を大きく延ばした形状としなくてはならない。
【０００６】
すなわち、同じコーナー部材を兼用することが出来ない。その為に、成形する為の金型は夫々のコーナー部材用として必要と成り、コストが嵩む。
一方、前記図７に示す巾木（イ）、（イ）はコーナー部が出っ張っている出隅コーナーであるが、逆にコーナー部が窪んでいる入隅形態としている場合もあり、それぞれに形状の異なるコーナー部材を取付けている。
【０００７】
実開平６−１５９２号に係る「巾木コーナー部材」は、入隅と出隅兼用の巾木コーナー部材である。
２つの方形面を断面Ｌ字型に接合し、垂直面とする。この垂直面の下端部から、垂直面に囲まれた内側に向けて、出隅用鍔を水平かつＬ字状に形成する。一方、垂直面の上端部からは、外側に向けて、入隅用鍔を水平かつＬ字状に形成する。これらの垂直面と各鍔部との接合部には、垂直面と各鍔部とを切り離すための切り込みを形成している。
すなわち、本考案の巾木コーナー部材は、不要な方の鍔を切り込みから切り離し、出隅用と入隅用のいずれの巾木コーナー部材としても使用することが出来るように構成している。
【特許文献１】実開平６−１５９２号に係る「巾木コーナー部材」
【発明の開示】
【発明が解決しようとする課題】
【０００８】
このように、巾木のコーナー部にはコーナー部材を取付けることが必要である。本発明では互いに突き合わせる切口を４５°に切断した場合と、９０°に切断した場合の巾木コーナー部に取付ける場合において、共に兼用することが出来るようにした巾木のコーナー部材を提供する。
【課題を解決するための手段】
【０００９】
本発明の出隅用コーナー部材は互いに垂直を成す表面板と表面板の上端には垂直を成す上面板を有している。そして、上記表面板の一方の背面（裏面）には当り板を垂直に延ばしている。ところで、当り板は必要に応じて切り取ることが出来るように、当り板の基部にはスリット溝を形成しており、該スリット溝の反対面からカッターを入れるならば当り板を簡単に切除することが出来るようにしている。
【００１０】
一方、本発明の入隅用コーナー部材の場合、同じく互いに垂直を成す表面板と、該表面板の上端には垂直を成す上面板を有している。そして、一方の表面板の背面（裏面）から第１当り板を垂直に延ばし、そして第１当り板の先端には第２当り板を垂直に屈曲して設けている。すなわち、Ｌ形断面をした当り板を表面板の裏面に設けている。ここで、上記当り板も必要に応じて切り取ることが出来るように、第１当り板の基部にはスリット溝を形成し、第１当り板及び第２当り板を切除することが出来る。
【発明の効果】
【００１１】
本発明の巾木のコーナー部材は、巾木が突き合わされるコーナー部に取付けることで、該コーナー部に発生する隙間や開口を被覆することが出来、外観が損なわれることがないようにしている。
そして、本発明のコーナー部材は、巾木が突き合わされる切口が４５°の場合であっても、９０°の場合であっても同じコーナー部材を兼用することが出来る形態としており、コーナー部材を成形する為の金型は１個で済む。
【００１２】
すなわち、表面板の裏面側には当り板を設け、９０°に切断した切口を有して巾木のコーナー部に大きな開口を有している場合、上記当り板を巾木の切口面に接着して取付けることが出来る。そして、４５°の切口を有すコーナー部には上記当り板を切除することで、表面板の裏面を巾木の表面に接着して取付けることが出来る。
ここで、切除される当り板の基部の一部が表面板の裏面に残らないように、スリット溝を当り板の基部に設けており、カッターでスリット溝の反対側から切り込みを入れることで、簡単に当り板を切除することが可能である。
【図面の簡単な説明】
【００１３】
【図１】本発明の出隅用コーナー部材を示す実施例。
【図２】本発明のコーナー部材の底面図とその拡大図。
【図３】当り板を切除する方法を示す具体例。
【図４】出隅コーナー部にコーナー部材を取付けた場合。
【図５】本発明の入隅用コーナー部材を示す実施例。
【図６】入隅用コーナー部材の底面拡大図。
【図７】巾木の出隅コーナー部を示す具体例。
【図８】巾木の出隅コーナー部に取付ける従来のコーナー部材。
【発明を実施するための形態】
【００１４】
図１は巾木の出隅コーナー部に取付けるコーナー部材１を示す実施例であり、（ａ）は左側面図、（ｂ）は平面図、（ｃ）は右側面図、（ｄ）は正面図をそれぞれ表している。このコーナー部材１は互いに垂直を成す表面板２ａ，２ｂと、該表面板２ａ，２ｂの上端には上面板３ａ，３ｂを背面側（裏面側）へ垂直に延ばしている。該上面板３ａ，３ｂは互いに連続してＬ形を成しており、中央背面側には切込み４が形成されている。
コーナー部材１を巾木コーナー部に取付ける場合、該切込み４は部屋の壁面コーナー部に係合するように成る。
【００１５】
ところで、この出隅コーナー部材１は外側には互いに垂直を成す両表面板２ａ，２ｂを有し、上端には上面板３ａ，３ｂを備えた形状とし、背面側及び底面は開口している。したがって、この開口に巾木の出隅コーナー部が嵌って取付けられ、該出隅コーナー部はコーナー部材１によって被覆される。垂直を成して突き合わされる巾木の先端に生じる隙間や開口をコーナー部材１によって表面化しないように被覆することが出来る。
【００１６】
そして、両表面板２ａ，２ｂの背面コーナー５は丸みを有すことなく角張っており、切口が４５°に切断されて突き合わされる巾木のコーナー部が尖っていても背面コーナー５に当たって両表面板２ａ，２ｂは巾木と密着して取付けられる。
ところで、該コーナー部材１には当り板６を表面板２ａに設け、当り板６は表面板２ａに対して垂直を成して背面側へ延びている。
【００１７】
図２（ａ）はコーナー部材１の底面図であるが、表面板２ａの裏面から延びる当り板６は必要に応じて切除することが出来る。同図（ａ）のＡ部拡大図を（ｂ）に示しているように、当り板６の基部にはスリット溝７が設けられ、該スリット溝７を介して当り板６を切除することが出来る。この場合、当り板６を切除するに当たって、基部の一部が裏面側に残らないように、表面板２ａの裏面に食い込んだ状態でスリット溝７を形成している。
【００１８】
図３は当り板６を切除する方法を示す具体例であり、（ａ）に示すようにスリット溝７が形成されている箇所とは反対側の基部にカッター８の刃先を入れるならば、（ｂ）に示すように当り板６は基部から完全に切除されて裏面９に切残しは存在しない。その為に、当り板６を完全に切除したコーナー部材１は巾木のコーナー部に隙間なく取付けられる。
【００１９】
図４は本発明のコーナー部材１を巾木の出隅コーナー部に取付けた場合を示している。
（ａ）では、巾木１０，１０の先端を４５°に切断して突き合わした場合であり、コーナー部は突き合わされた巾木１０，１０にて尖っている。このコーナー部にコーナー部材１を取付けるに当たって、上記当り板６は切除され、両表面板２ａ，２ｂの裏面９、９は巾木表面に当接し、両面テープ１１，１１にて巾木１０，１０に取付けられる。
そして、両表面板２ａ，２ｂの背面コーナー５にはＲ面を形成していない為に、突き合わして尖ったコーナー部の先端は背面コーナー５に嵌ることが出来る。したがって、該コーナー部材１は巾木コーナー部の表面及び上面を被覆し、コーナー部に生じる隙間を隠すことが出来る。
【００２０】
（ｂ）では、巾木１０，１０の先端を９０°に切断して突き合わした場合であり、コーナー部には開口１２が形成される。この場合、上記コーナー部材１は当り板６を介して取付けられる。すなわち、当り板６は巾木１０の切口に当接し、当り板６と切口を両面テープ又は接着剤によって固定することで、該コーナー部材１は開口１２を塞いで取付けられる。
【００２１】
図５は巾木の入隅コーナー部に取付けるコーナー部材１３を示す実施例であり、（ａ）は左側面図、（ｂ）は平面図、（ｃ）は右側面図、（ｄ）は正面図をそれぞれ表している。このコーナー部材１３は互いに垂直を成す表面板１４ａ，１４ｂと、該表面板１４ａ，１４ｂの上端には上面板１５を背面側へ垂直に延ばしている。該上面板１５は上記表面板１４ａ，１４ｂから延びてＬ形を成している。
【００２２】
ところで、この入隅コーナー部材１３は互いに垂直を成す両表面板１４ａ，１４ｂを有し、上部には上面板１５を備えた形状とし、背面側及び底面側は開口している。従って、この開口に巾木の入隅コーナー部に嵌って取付けられ、該入隅コーナー部はコーナー部材１３によって被覆される。すなわち、垂直を成して突き合わされる巾木の先端に生じる隙間をコーナー部材１３は表面化しないように被覆することが出来る。
【００２３】
そして、両表面板１４ａ，１４ｂのコーナー１６は適度な大きさの丸みを有している。
該コーナー部材１３は第１当り板１８と第２当り板１７を有し、第１当り板１８は表面板１４ａ，１４ｂのコーナー付近から延びており、第２当り板１７は第１当り板１８の先端に垂直に屈曲して形成している。
【００２４】
図６はコーナー部材１３の底面拡大図であるが、コーナー付近の表面板１４ｂの裏面から延びる第１当り板１８は必要に応じて切除することが出来る。
第１当り板１８の基部にはスリット溝１９が設けられ、該スリット溝１９を介して第１当り板１８を切除することが出来る。第１当り板１８が切除されるならば、第２当り板１７も同時に除去される。
【００２５】
ところで、巾木の先端を４５°に切断して突合せしている場合の入隅コーナー部に本発明のコーナー部材１３を取付けるには、上記第１当り板１８及び第２当り板１７を切除しなくてはならない。そこで、スリット溝１９の反対側にカッターを入れるならば、第１当り板１８は基部を表面板１４ｂに残すことなく除去される。
【００２６】
一方、巾木の先端を９０°に切断して互いに突き合わせする場合の入隅コーナー部に本発明のコーナー部材１３を取付けるには、上記第１当り板１８及び第２当り板１７はそのまま残して取付けることが出来る。すなわち、両当り板１７，１８を巾木の切断木口に当接し、両面テープ又は接着剤を介して固定することが出来る。
【符号の説明】
【００２７】
１   コーナー部材
２   表面板
３   上面板
４   切込み
５   背面コーナー
６   当り板
７   スリット溝
８   カッター
９   裏面
10   巾木
11   両面テープ
12   開口
13   コーナー部材
14   表面板
15   上面板
16   コーナー
17   第２当り板
18   第１当り板
19   スリット溝
【図１】
0006285385.tif 000002
【図２】
0006285385.tif 000003
【図３】
0006285385.tif 000004
【図４】
0006285385.tif 000005
【図５】
0006285385.tif 000006
【図６】
0006285385.tif 000007
【図７】
0006285385.tif 000008
【図８】
0006285385.tif 000009